(57)【要約】【課題】  ビスとの係合力を十分に確保して、被取着物を確実に取着することができる取着体を提供する。【解決手段】  取着体としての配線用ボックス５は、周壁５ｃの内面側に位置するボス部６、６を備える。そして、ボス部６は、ビス４が挿入される挿入孔６ａと、その挿入孔６ａと連通する収容空間６ｂとを有する。この収容空間６ｂには、ビス４を固定するためのビス固定部材７が収容される。ビス固定部材７は、板材からなり、一対の脚片７ａ、７ａと、一対の弾性係合片７ｂ、７ｂと、前記一対の脚片７ａ、７ａを連結する連結片７ｃとを備える。一対の脚片７ａ、７ａは、収容空間６ｂの向かい合う側壁面６ｃ、６ｃに、板面が面するようにして近接あるいは当接する。一対の弾性係合片７ｂ、７ｂは、ビス軸部４ａに係合するよう、一対の脚片７ａ、７ａの、挿入孔６ａの軸心方向の一方の端から折れ曲がって、挿入孔６ａ側に向かって延設される。【選択図】  図３
2006161997.tif 000002
【特許請求の範囲】
【請求項１】
配線器具等の被取着物が、ビスを用いて取着される取着体であって、
少なくとも一方に開放部を有する内部空間を形成するようにその内部空間を囲む周壁と、前記周壁の内面側に位置するボス部とを備え、
前記ボス部は、前記ビスが前記開放部側から挿入される挿入孔と、その挿入孔と連通する収容空間とを有し、
前記収容空間には、前記挿入孔に挿入された前記ビスを固定するためのビス固定部材が収容され、
前記ビス固定部材は、板材からなり、かつ、
前記ビス固定部材は、前記収容空間の向かい合う側壁面に、板面が面するようにして近接あるいは当接する一対の脚片と、それら脚片の、前記挿入孔の軸心方向の一方の端から折れ曲がって、前記挿入孔側に向かって延設され、先端が、前記挿入孔に挿入された前記ビスのビス軸部に係合する一対の弾性係合片と、前記一対の脚片を連結する連結片とを備え、
前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止することを特徴とする取着体。
【請求項２】
前記連結片は、前記弾性係合片とは縁切りされた状態で、前記一対の脚片の前記一方の端どうしを繋ぐように設けられていることを特徴とする請求項１に記載の取着体。
【請求項３】
前記連結片は、前記一対の脚片の、前記挿入孔の軸心方向と直交する方向の端どうしを繋ぐように設けられていることを特徴とする請求項１に記載の取着体。
【請求項４】
前記ビス固定部材は、前記一対の弾性係合片が、前記内部空間側とその内部空間側とは反対側となる外方側とを結ぶ縦方向に直交する横方向に並ぶように、かつ、前記連結片が、前記一対の弾性係合片に対して、前記内部空間側とは反対側となる外方側に位置するように、配置されることを特徴とする請求項２または３に記載の取着体。
【請求項５】
配線器具等の被取着物が、ビスを用いて取着される取着体の、少なくとも一方に開放部を有する内部空間を形成するようにその内部空間を囲む周壁の、内面側に位置するボス部に収容され、前記開放部側から前記ボス部の挿入孔に挿入された前記ビスを固定するためのビス固定部材であって、
板材からなり、かつ、
前記ボス部に前記挿入孔と連通するように設けられた収容空間の向かい合う側壁面に、板面が面するようにして近接あるいは当接する一対の脚片と、それら脚片の、前記挿入孔の軸心方向の一方の端から折れ曲がって、前記挿入孔側に向かって延設され、先端が、前記挿入孔に挿入された前記ビスのビス軸部に係合する一対の弾性係合片と、前記一対の脚片を連結する連結片とを備え、
前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止することを特徴とするビス固定部材。
【発明の詳細な説明】
【技術分野】
【０００１】
この発明は、配線器具等の被取着物を簡単かつ確実に固定することができる、取着体およびビス固定部材に関するものである。
【背景技術】
【０００２】
従来、建物の壁表側から、被取着物としての配線器具を固定するには、取付け用のビスを、前記配線器具が取着された器具枠に挿通するとともに、壁内に隠蔽もしくは埋設された、取着体としての配線用ボックスの一対のボス部内に収容されたナット、または、そのボックスに取り付けられた、取着体としてのボックスカバーの一対のボス部内に収容されたナットに、前記ビスをねじ込んでいた。
【０００３】
しかし、前記ビスによるねじ込み作業は、ビスをドライバーで回転させて締め込んでいかなければならず、大変面倒でかつ時間のかかるものであった。
【０００４】
そこで、ナットの替わりに板材を用いた配線用ボックス（埋込ボックス）が考案された（例えば、特許文献１参照）。この配線用ボックスにおいては、図７に示されるように、板材１１は、通孔１２ａが明けられた前部片１２と、側部片１３、１３と、たわみ片１４、１４とで、略Ｃ字状に形成されていた。そして、この板材１１が、配線用ボックス１０の突出片１０ａに、その突出片１０ａを囲むようにして取り付けられた。そこで、ビス１５を、前部片１２の通孔１２ａおよび突出片１０ａの孔１０ｂを挿通させて、ドライバーで回転させることなく、たわみ片１４、１４間に押し込むことで、ビス１５の山が、たわみ片１４、１４の先端部分に係合し、こうして、配線器具を固定することができた。
【０００５】
【特許文献１】特開平７−１９３９４６
【発明の開示】
【発明が解決しようとする課題】
【０００６】
ところで、取着体としての配線用ボックスにおいては、たわみ片には、例えば、取り付けられた配線器具に作用する、プラグを抜き差しする際の力とか、プラグが電気機器により引っ張られる力等に耐え得る強度が要求された。
【０００７】
しかし、前記従来の配線用ボックス１０にあっては、略Ｃ字状の板材１１が、配線用ボックス１０の突出片１０ａを囲むようにして取り付けられていたため、板材１１のたわみ片１４、１４と係合したビス１５に、抜け方向の外力が作用した場合には、側部片１３、１３が外側に開くようにしてたわみ片１４、１４間の間隔が広がる虞があった。そして、このたわみ片１４、１４間の間隔の広がりにより、たわみ片１４、１４とビス１５との係合が不十分となる虞があった。
【０００８】
この発明は、上記した従来の欠点を解決するためになされたものであり、その目的とするところは、ビスとの係合力を十分に確保して、被取着物を確実に取着することができる、取着体およびビス固定部材を提供することにある。
【課題を解決するための手段】
【０００９】
この発明に係る取着体およびビス固定部材は、前記目的を達成するために、次の構成からなる。すなわち、
請求項１に記載の発明に係る取着体は、配線器具等の被取着物が、ビスを用いて取着される取着体であって、少なくとも一方に開放部を有する内部空間を形成するようにその内部空間を囲む周壁と、前記周壁の内面側に位置するボス部とを備える。ここにおいて、前記ボス部は、前記ビスが前記開放部側から挿入される挿入孔と、その挿入孔と連通する収容空間とを有する。そして、前記収容空間には、前記挿入孔に挿入された前記ビスを固定するためのビス固定部材が収容される。このビス固定部材は、板材からなる。そして、このビス固定部材は、前記収容空間の向かい合う側壁面に、板面が面するようにして近接あるいは当接する一対の脚片と、それら脚片の、前記挿入孔の軸心方向の一方の端から折れ曲がって、前記挿入孔側に向かって延設され、先端が、前記挿入孔に挿入された前記ビスのビス軸部に係合する一対の弾性係合片と、前記一対の脚片を連結する連結片とを備える。そこで、前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止する。
【００１０】
これにより、この取着体に配線器具等の被取着物を取り付けるには、この取着体のボス部に設けられた挿入孔に、開放部側からビスを押し込むように押圧する。こうすることで、ビス固定部材に設けられた弾性係合片の先端部分が、ビス軸部に押圧される。それに共なって、弾性係合片が、ビス軸部の挿入方向へ傾斜するように、あるいは、挿入方向への傾斜が増すように弾性変形して、ビス軸部の、挿入方向への移動が許容されて、このビス軸部は、挿入孔に挿入される。そして、ビスの押し込みを終えると、弾性係合片の先端は、ビス軸部と係合し、こうして、ビスが固定され、被取着物は、取着体に取着される。ここにおいて、挿入孔からのビス軸部の抜けに対しては、ビス軸部と係合した弾性係合片が、ビス軸部につられて、その抜け方向へ、すなわち前記挿入方向への傾斜が減ずる方向へ弾性変形しようとして、弾性係合片は、ビス軸部を押圧する。そして、この押圧により、弾性係合片は、前記抜け方向への弾性変形が困難となるとともに、ビス軸部への係合が強固なものとなり、ビスの抜けが阻止される。ここで、ビス固定部材は、一対の弾性係合片が延設される一対の脚片を備えており、それら脚片は、収容空間の向かい合う側壁面に、板面が面するようにして近接あるいは当接する。したがって、一対の脚片、ひいては一対の弾性係合片は、互いに離れることはなく、弾性係合片の、ビス軸部との係合力が十分に確保される。
【００１１】
また、請求項２に記載の発明に係る取着体は、請求項１に記載の取着体において、前記連結片は、前記弾性係合片とは縁切りされた状態で、前記一対の脚片の前記一方の端どうしを繋ぐように設けられている。
【００１２】
また、請求項３に記載の発明に係る取着体は、請求項１に記載の取着体において、前記連結片は、前記一対の脚片の、前記挿入孔の軸心方向と直交する方向の端どうしを繋ぐように設けられている。
【００１３】
また、請求項４に記載の発明に係る取着体は、請求項２または３に記載の取着体において、前記ビス固定部材は、前記一対の弾性係合片が、前記内部空間側とその内部空間側とは反対側となる外方側とを結ぶ縦方向に直交する横方向に並ぶように、かつ、前記連結片が、前記一対の弾性係合片に対して、前記内部空間側とは反対側となる外方側に位置するように、配置される。こうして、連結片を、一対の弾性係合片に対して、内部空間側とは反対側となる外方側に位置させることで、ビスの位置、すなわち挿入孔の位置を変えることができない場合であっても、内部空間を広く取ることができる。
【００１４】
また、請求項５に記載の発明に係るビス固定部材は、配線器具等の被取着物が、ビスを用いて取着される取着体の、少なくとも一方に開放部を有する内部空間を形成するようにその内部空間を囲む周壁の、内面側に位置するボス部に収容され、前記開放部側から前記ボス部の挿入孔に挿入された前記ビスを固定するためのビス固定部材である。このビス固定部材は、板材からなる。そして、このビス固定部材は、前記ボス部に前記挿入孔と連通するように設けられた収容空間の向かい合う側壁面に、板面が面するようにして近接あるいは当接する一対の脚片と、それら脚片の、前記挿入孔の軸心方向の一方の端から折れ曲がって、前記挿入孔側に向かって延設され、先端が、前記挿入孔に挿入された前記ビスのビス軸部に係合する一対の弾性係合片と、前記一対の脚片を連結する連結片とを備える。そこで、前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止する。
【００１５】
これにより、取着体に配線器具等の被取着物を取り付けるには、この取着体のボス部に設けられた挿入孔に、開放部側からビスを押し込むように押圧する。こうすることで、ビス固定部材に設けられた弾性係合片の先端部分が、ビス軸部に押圧される。それに共なって、弾性係合片が、ビス軸部の挿入方向へ傾斜するように、あるいは、挿入方向への傾斜が増すように弾性変形して、ビス軸部の、挿入方向への移動が許容されて、このビス軸部は、挿入孔に挿入される。そして、ビスの押し込みを終えると、弾性係合片の先端は、ビス軸部と係合し、こうして、ビスが固定され、被取着物は、取着体に取着される。ここにおいて、挿入孔からのビス軸部の抜けに対しては、ビス軸部と係合した弾性係合片が、ビス軸部につられて、その抜け方向へ、すなわち前記挿入方向への傾斜が減ずる方向へ弾性変形しようとして、弾性係合片は、ビス軸部を押圧する。そして、この押圧により、弾性係合片は、前記抜け方向への弾性変形が困難となるとともに、ビス軸部への係合が強固なものとなり、ビスの抜けが阻止される。ここで、ビス固定部材は、一対の弾性係合片が延設される一対の脚片を備えており、それら脚片は、収容空間の向かい合う側壁面に、板面が面するようにして近接あるいは当接する。したがって、一対の脚片、ひいては一対の弾性係合片は、互いに離れることはなく、弾性係合片の、ビス軸部との係合力が十分に確保される。
【発明の効果】
【００１６】
この発明に係る取着体およびビス固定部材によれば、収容空間の向かい合う側壁面によって、一対の脚片、ひいては一対の弾性係合片は、互いに離れることはないので、ビスとの係合力を十分に確保して、被取着物を確実に取着することができる。
【発明を実施するための最良の形態】
【００１７】
以下、この発明に係る取着体およびビス固定部材を実施するための最良の形態を図面に基づいて説明する。
【００１８】
図１ないし図５は、本発明の一実施の形態を示す。図中符号１は、建物の壁である。２は、被取着物としての、コンセントとかスイッチ等の配線器具である。３は、その配線器具２を保持する保持材としての保持パネルである。４は、固着具としてのビスである。５は、前記配線器具２がビス４を用いて取着される、取着体としての配線用ボックスである。
【００１９】
ここで、保持パネル３は、枠状に形成されており、その枠内に、配線器具２が取り付けられる。そして、保持パネル３は、その各側、例えば上下の各側に、ビス４が挿通される孔３ａが形成されている。
【００２０】
配線用ボックス５は、一方に開放部５ａを有する内部空間５ｂを形成するようにその内部空間５ｂを囲む周壁５ｃと、周壁５ｃの内面側に位置するボス部６、６とを備えている。そして、ボス部６は、ビス４が前記開放部５ａ側から挿入される挿入孔６ａと、その挿入孔６ａと連通する収容空間６ｂとを有する。ここにおいて、ボス部６内には（詳細には、収容空間６ｂには）、前記開放部５ａ側から挿入孔６ａに挿入されたビス４を固定するためのビス固定部材７が収容されている。このビス固定部材７は、板材からなり、一対の脚片７ａ、７ａと、一対の弾性係合片７ｂ、７ｂと、前記一対の脚片７ａ、７ａを連結する連結片７ｃとを備える。一対の脚片７ａ、７ａは、前記収容空間６ｂの向かい合う側壁面６ｃ、６ｃに、板面が面するようにして近接あるいは当接するものである。そして、一対の弾性係合片７ｂ、７ｂは、挿入孔６ａを挟んで対向位置するように、一対の脚片７ａ、７ａの、前記挿入孔６ａの軸心方向の一方の端から折れ曲がって、挿入孔６ａ側に向かって延設され、先端が、挿入孔６ａに挿入された前記ビス４のビス軸部４ａに係合するものである。
【００２１】
そこで、挿入孔６ａへのビス軸部４ａの挿入に対しては、弾性係合片７ｂは、ビス軸部４ａの挿入方向Ｐへ傾斜するように、あるいは、挿入方向Ｐへの傾斜が増すように（図示実施の形態においては、挿入方向Ｐへの傾斜が増すように）弾性変形することで、ビス軸部４ａの、前記挿入方向Ｐへの移動を許容する。反対に、挿入孔６ａからのビス軸部４ａの抜けに対しては、ビス軸部４ａと係合した弾性係合片７ｂが、ビス軸部４ａの抜け方向Ｑへ、前記挿入方向Ｐへの傾斜が減ずるように弾性変形しようとして、ビス軸部４ａを押圧することにより、弾性係合片７ｂの、前記抜け方向Ｑへの弾性変形を困難にして、ビス軸部４ａの、前記抜け方向Ｑへの移動を阻止する。
【００２２】
具体的には、配線用ボックス５は、例えば合成樹脂製であって、前側に前記開放部５ａを備えた箱型形状、例えば直方体形状をしている。そこで、ボス部６は、配線用ボックス５の、例えば上下の各側に、周壁５ｃから内部空間５ｂ側に突出するようにして形成される。そして、このボス部６に、配線用ボックス５の前側（つまり、前記開放部５ａ側）から後方に向かって、前記挿入孔６ａが形成される。また、ボス部６には、前記収容空間６ｂが、周壁５ｃの外面側から挿入孔６ａに向かって連通、すなわち交差（図示実施の形態においては直交）するように明けられている。そして、図示実施の形態においては、この収容空間６ｂの前記側壁面６ｃは、挿入孔６ａの軸心方向に平行となるように形成されている。
【００２３】
ビス固定部材７は、前側（つまり、前記開放部５ａ側）からボス部６の挿入孔６ａに挿入されたビス４と係合してそのビス４を固定するためのものであり、ばね性を有する板材、例えば、鋼板とか銅合金板等の金属板からなる。そして、前記脚片７ａ、７ａは、それぞれが略長方形状に形成され、その短辺が、挿入孔６ａの軸心方向を向くようにして、互いに平行となるように位置し、脚片７ａ、７ａの板面が、収容空間６ｂにおける左右の（つまり、後述する横方向Ｓのそれぞれに設けられた）側壁面６ｃ、６ｃに平行状態で面して、その側壁面６ｃ、６ｃに近接あるいは当接するように配置される。
【００２４】
前記弾性係合片７ｂ、７ｂは、脚片７ａ、７ａの、挿入孔６ａの軸心方向の一方の端の長辺（図示実施の形態においては、前側の辺）から折れ曲がって、挿入孔６ａ側に向かうとともに、若干ビス軸部４ａの挿入方向Ｐに傾くように延設されている。そして、弾性係合片７ｂの先端には、挿入孔６ａに挿入されたビス軸部４ａの外周に沿うように、弧状の凹部７ｄが形成されている。すなわち、この凹部７ｄが、挿入孔６ａに挿入されたビス軸部４ａに係合するようになっている。
【００２５】
前記連結片７ｃは、弾性係合片７ｂ、７ｂとは縁切りされた状態で、一対の脚片７ａ、７ａの前記一方の端の長辺（図示実施の形態においては、前側の辺）どうしを繋ぐように設けられている。そこで、ビス固定部材７は、一対の弾性係合片７ｂ、７ｂが、内部空間５ｂ側（つまり、ボス部６の先端側）とその内部空間５ｂ側とは反対側となる外方側（つまり、ボス部６の基端側）とを結ぶ縦方向Ｒに直交する横方向Ｓ（図示実施の形態においては、左右方向）に並ぶように、かつ、連結片７ｃが、一対の弾性係合片７ｂ、７ｂに対して、内部空間５ｂ側とは反対側となる外方側に位置するように、配置される（図４参照）。
【００２６】
次に、以上の構成からなる配線用ボックス５およびビス固定部材７の作用効果について説明する。この配線用ボックス５は、予め、壁１の裏側の柱等に、木ねじ等の固着具により取り付けられている。そこで、この配線用ボックス５に配線器具２を取り付けるには、配線用ボックス５に対応して壁１に明けられた壁孔１ａ部分における、壁１の表側に、配線器具２を取り付けた保持パネル３を宛がう。その後、ビス４（詳細には、ビス軸部４ａ）を保持パネル３の孔３ａに通し、この配線用ボックス５のボス部６に設けられた挿入孔６ａに、前側（すなわち、開放部５ａ側）からビス４を押し込むように押圧する。こうすることで、ビス固定部材７に設けられた弾性係合片７ｂ、７ｂの先端部分が、ビス軸部４ａに押圧される。それに共なって、弾性係合片７ｂ、７ｂが、ビス軸部４ａの挿入方向Ｐへ傾斜するように、あるいは、挿入方向Ｐへの傾斜が増すように弾性変形して、ビス軸部４ａの、挿入方向Ｐへの移動が許容され、このビス軸部４ａは、一対の弾性係合片７ｂ、７ｂ間に挿通されるようにして、挿入孔６ａに挿入される。そして、ビス４の押し込みを終えると、弾性係合片７ｂ、７ｂの先端（詳細には、凹部７ｄ、７ｄ）は、ビス軸部４ａと係合し、こうして、ビス４が固定され、配線器具２は、保持パネル３とともに配線用ボックス５に取着される。
【００２７】
ここにおいて、挿入孔６ａからのビス軸部４ａの抜けに対しては、ビス軸部４ａと係合した弾性係合片７ｂ、７ｂが、ビス軸部４ａにつられて、その抜け方向Ｑへ、すなわち前記挿入方向Ｐへの傾斜が減ずる方向へ弾性変形しようとして、弾性係合片７ｂ、７ｂは、ビス軸部４ａを押圧する。そして、この押圧により、弾性係合片７ｂ、７ｂは、前記抜け方向Ｑへの弾性変形が困難となるとともに、ビス軸部４ａへの係合が強固なものとなり、ビス４の抜けが阻止される。ここで、ビス固定部材７は、一対の弾性係合片７ｂ、７ｂが延設される一対の脚片７ａ、７ａを備えており、それら脚片７ａ、７ａは、収容空間６ｂの向かい合う側壁面６ｃ、６ｃに、板面が面するようにして近接あるいは当接する。したがって、一対の脚片７ａ、７ａ、ひいては一対の弾性係合片７ｂ、７ｂは、互いに離れることはない。こうして、弾性係合片７ｂ、７ｂの、ビス軸部４ａとの係合力を十分に確保することができ、この配線用ボックス５に配線器具２を確実に取着することができる。
【００２８】
また、ビス固定部材７は、一対の脚片７ａ、７ａを連結する連結片７ｃを備えている。そこで、この連結片７ｃを、一対の弾性係合片７ｂ、７ｂに対して、内部空間５ｂ側とは反対側となる外方側（つまり、ボス部６の基端側）に位置させることで、ビス４の位置、すなわち挿入孔６ａの位置を変えることができない場合であっても、内部空間５ｂを広く取ることができる。したがって、この内部空間５ｂに大きな配線器具２や、例えば、三つ並んで配置された配線器具２、２とか、二つが上下等に離れて配置された配線器具２、２とかの複数の配線器具２、２を収容することができたり、あるいは、余裕を持って収容することができる。
【００２９】
ところで、配線用ボックス５に配線器具２を取り付ける際に、配線用ボックス５の挿入孔６ａにビス４のビス軸部４ａを押し込んだ後、さらに、そのビス４を、その締め付け方向に回動してもよい。このように、ビス４に締め付け方向の回動を加えることで、この配線用ボックス５に配線器具２を強固に固定することが可能となる。
【００３０】
反対に、配線用ボックス５から配線器具２を取り外すには、弾性係合片７ｂが係合したビス４を、その緩み方向に回動する。こうすることで、ビス４は、後退してボス部６（詳細には、挿入孔６ａ）から取り除かれ、配線器具２は、保持パネル３とともに、配線用ボックス５から取り外される。
【００３１】
なお、本発明は、上述した実施の形態に限定されるわけではなく、その他種々の変更が可能である。例えば、ビス固定部材７の連結片７ｃは、図６に示すように、一対の脚片７ａ、７ａの、挿入孔６ａの軸心方向と直交する方向の端どうしを繋ぐように設けられてもよい。そして、この場合にも、ビス固定部材７は、一対の弾性係合片７ｂ、７ｂが、内部空間５ｂ側（つまり、ボス部６の先端側）とその内部空間５ｂ側とは反対側となる外方側（つまり、ボス部６の基端側）とを結ぶ縦方向Ｒに直交する横方向Ｓに並ぶように、かつ、連結片７ｃが、一対の弾性係合片７ｂ、７ｂに対して、内部空間５ｂ側とは反対側となる外方側に位置するように、配置されるのが望ましい。
【００３２】
もっとも、収容空間６ｂにおける側壁面６ｃ、６ｃを左右ではなく上下（すなわち、内部空間５ｂ側とその内部空間５ｂ側とは反対側となる外方側とを結ぶ縦方向Ｒのそれぞれ）に設け、ビス固定部材７を、一対の弾性係合片７ｂ、７ｂが、これら側壁面６ｃ、６ｃと対応するように、上下方向（前記縦方向Ｒ）に並ぶように、配置しても構わない。
【００３３】
また、弾性係合片７ｂは、脚片７ａの、挿入孔６ａの軸心方向の一方の端となる、前側の端から折れ曲がって形成されているが、反対に、脚片７ａの、挿入孔６ａの軸心方向の一方の端となる、後側の端から折れ曲がるようにして形成されてもよい。
【００３４】
また、弾性係合片７ｂは、ビス軸部４ａが挿入孔６ａに挿入される前から挿入方向Ｐに傾斜していてもよいが、ビス軸部４ａが挿入される前においては、挿入孔６ａの軸心方向と直交し、ビス軸部４ａを挿入することで、弾性係合片７ｂが、ビス軸部４ａに押されて、そのビス軸部４ａの挿入方向Ｐへ傾斜するように、弾性変形するものであってもよい。
【００３５】
また、取着体は、内部空間５ｂが一方に開放部５ａを有する配線用ボックス５等でなくとも、内部空間が一方に開放部を有するとともに他方にも開放する枠状の取着体であってもよい。この枠状の取着体としては、例えば被取着物としての配線器具２が取着されるとともに配線用ボックスに取り付けられる配線用ボックスカバー等がある。ここで、配線用ボックスカバーとしては、塗代付きのボックスカバーとか板状のボックスカバー等がある。さらに、取着体は、これら配線用ボックス５とか配線用ボックスカバーでなくとも、被取着物がビス４を用いて取着されるものであればどのようなものでもよい。
【００３６】
また、被取着物は、配線器具２でなくとも、例えば、取着体としての配線用ボックス５に取着される配線用ボックスカバーであってもよく、配線器具２に限定されるものではない。
【図面の簡単な説明】
【００３７】
【図１】この発明の一実施の形態の、縦断面図である。
【図２】同じく、図１におけるＡ部拡大図である。
【図３】同じく、図２におけるＢ−Ｂ線による断面図である。
【図４】同じく、図２におけるＣ−Ｃ線による断面図である。
【図５】同じく、ビス固定部材の斜視図である。
【図６】この発明の変形形態を示す、ビス固定部材の斜視図である。
【図７】従来の配線用ボックスの要部を示す断面図である。
【符号の説明】
【００３８】
２  配線器具（被取着物）
４  ビス
４ａ  ビス軸部
５  配線用ボックス（取着体）
５ａ  開放部
５ｂ  内部空間
５ｃ  周壁
６  ボス部
６ａ  挿入孔
６ｂ  収容空間
６ｃ  側壁面
７  ビス固定部材
７ａ  脚片
７ｂ  弾性係合片
７ｃ  連結片
Ｐ  挿入方向
Ｑ  抜け方向
Ｒ  縦方向
Ｓ  横方向
【図１】
2006161997.tif 000003
【図２】
2006161997.tif 000004
【図３】
2006161997.tif 000005
【図４】
2006161997.tif 000006
【図５】
2006161997.tif 000007
【図６】
2006161997.tif 000008
【図７】
2006161997.tif 000009